(57)【要約】【課題】発光面全体で均一な輝度分布が実現できる中空式面照明装置とする。【解決手段】本発明は、中空のユニットケース１の底面側に反射面部材２を配置し、ユニットケースの反射面部材と対向する表側に発光面部材３を配置し、ユニットケースにおける反射面部材と発光面部材とで挟まれる空間を中空導光領域１０とし、配線基板に多数個のＬＥＤを列設実装したＬＥＤ光源ユニット５を中空導光領域に両側若しくは片側に隣接して、当該中空導光領域に出射するように配置し、かつ、ＬＥＤ光源ユニットと中空導光領域の端面との間にＬＥＤ光源ユニットから出た光の当該装置の厚さ方向の指向角を狭角化する集光レンズ９を配置した中空式面照明装置３０において、反射面部材２の中空導光領域１０に面する表面の粗さＲａを、Ｒａ＞１μｍとしたことを特徴とする。【選択図】      図２
2009099271.tif 000002
【特許請求の範囲】
【請求項１】
中空のユニットケースの底面側に反射面部材を配置し、前記ユニットケースの前記反射面部材と対向する表側に発光面部材を配置し、前記ユニットケースにおける前記反射面部材と発光面部材とで挟まれる空間を中空導光領域とし、配線基板に多数個のＬＥＤを列設実装したＬＥＤ光源ユニットを前記中空導光領域に両側若しくは片側に隣接して、当該中空導光領域に出射するように配置し、かつ、前記ＬＥＤ光源ユニットと前記中空導光領域の端面との間に前記ＬＥＤ光源ユニットから出た光の当該装置の厚さ方向の指向角を狭角化する集光レンズを配置した中空式面照明装置において、
前記反射面部材の前記中空導光領域に面する表面の粗さＲａを、Ｒａ＞１μｍとしたことを特徴とする中空式面照明装置。
【請求項２】
前記反射面部材における前記集光レンズから出る光が強く当たる領域の表面の粗さＲａを部分的に、Ｒａ＞１μｍとし、前記反射面部材の表面の他の領域はＲａ≦１μｍとしたことを特徴とする請求項１に記載の中空式面照明装置。
【請求項３】
前記反射面部材の表面の粗さＲａを、前記ＬＥＤ光源ユニットからの光軸方向の距離が増加するのに従って増加関数的に変化するようにしたことを特徴とする請求項１に記載の中空式面照明装置。
【請求項４】
前記反射面部材は、前記ＬＥＤ光源ユニットから遠い側の端部に行くに従って迫り上がる傾斜面にしたことを特徴とする請求項１〜３のいずれかに記載の中空式面照明装置。
【請求項５】
前記集光レンズは、全反射型のコリメータレンズであることを特徴とする請求項１〜４のいずれかに記載の中空式面照明装置。
【発明の詳細な説明】
【技術分野】
【０００１】
本発明は、例えば液晶表示装置のバックライトユニットのように発光面から均一な輝度分布の照明光を出射する中空式面照明装置に関する。
【背景技術】
【０００２】
近年、液晶表示装置用バックライトユニットの光源として、冷陰極放電灯からＬＥＤに代替される動きが進んでいる。これは、ＬＥＤには有害物質である水銀が含まれず、環境調和型の光源として適していること、また最近の大幅な発光効率の向上により消費電力が大幅に低減できることによるところが大きい。ＬＥＤを光源として備えるバックライトユニットは、これまで携帯電話機やモバイル端末のように概ね小型機器に対する用途が中心であったが、最近では２０インチ型以上の液晶モニタや液晶テレビ等、大型の液晶表示装置にも採用の動きが進んでいる。
【０００３】
大型液晶表示装置の場合、そのバックライトユニットには高輝度であることが求められる。そのため、大型液晶表示装置用のバックライトユニットとしては、特開２００５−３１６３３７号公報（特許文献１）に記載されているように、面発光部の直下にＬＥＤ光源を配置した直下型のバックライトユニットが一般的になっている。ところが、直下型のＬＥＤバックライトユニットでは、光源がＬＥＤであるため、配列した多数のＬＥＤと面発光部との距離が近接しすぎると輝度ムラ、色ムラとして認識され、それが照らす液晶の表示品質を悪化させてしまう。この現象は、高輝度を実現するために、１個当りの電力が１Ｗクラス以上の高出力ＬＥＤを光源とした場合にいっそう顕著に現われる。反面、輝度ムラ、色ムラを低減させるためにＬＥＤと面発光部（拡散板）との距離を遠ざけることは、装置全体の厚みを増加させることにつながる。液晶パネル上の色再現性を向上させるために、光源を青色、赤色、緑色それぞれの単色発光ＬＥＤで例えばＮＴＳＣ規格比１００％以上を実現しようとすれば、混色性を確保する必要があって、いっそう厚みを増加させる必要があるが、近年の液晶表示装置の薄型化の傾向に反して好ましくない。
【０００４】
また直下型バックライトユニットとして、その光源に白色発光ＬＥＤを用いたものも開発され、商品化されている。ところが、白色発光ＬＥＤは、ＬＥＤが放射する青色光と、チップ近傍に設けられた蛍光体の黄色発光色とを利用しているので、バックライトユニットからの見た目の光は白色に見えるが、液晶パネルを透過させると色合いがずれる等の問題があって、高い色再現性を必要とする医療用、コンピュータグラフィックス用の液晶モニタのバックライトユニットとして採用するには課題が多い。
【０００５】
この直下型バックライトユニットの問題点を解決するものとして、装置内の端部に配列させたＬＥＤ光源の放射光を導光板の端面から導光し、その反射面で反射拡散させて反対面の発光面から出射させるサイドライト方式のバックライトユニットも知られている。ところが、この導光板を使用するサイドライト方式のバックライトユニットの場合、今日の液晶表示装置の大画面化に応えるべく発光面を広げると、発光面と同じく導光板を大面積のものにする必要があり、重量が重くなる問題点がある。
【０００６】
さらに近年、中空導光領域で反射させて面発光部から均一に出射させてその前方の液晶パネルに照射させる中空式バックライトユニットが特開２００６−１０６２１２号公報（特許文献２）にて知られている。この従来の中空式バックライトユニットの場合、液晶表示装置の大画面化に応えるべく大面積にしても、導光板のような重量が極端に増加する部材を含んでいないために装置重量が極端に増加することがない利点がある。
【０００７】
ところが、この従来の中空式バックライトユニットでは、特にＬＥＤ光源ユニットの出光面側に集光レンズを配置しＬＥＤからの光の出光角度を狭角化し、また、反射面部材として光拡散反射特性に優れた白色系の反射シートを用いた場合、集光レンズから出る中空導光領域の幅方向に細長い光が反射シートの一定の領域に集中し、その領域で正反射された反射光が発光面部材の一定の領域に照射され、発光面の該当領域に輝線が出ることがある問題点があった。
【特許文献１】特開２００５−３１６３３７号公報
【特許文献２】特開２００６−１０６２１２号公報
【発明の開示】
【発明が解決しようとする課題】
【０００８】
本発明は、上記した提案されている中空式面照明装置の改良に関わるものであり、発光面全体でより均一な輝度分布が実現できるサイドライト方式の中空式面照明装置を提供することを目的とする。
【０００９】
尚、本願において、「サイドライト方式」とは、発光面の背部側方の光源ユニットから発光面に平行な方向に光を出射し、この光を屈折、反射、拡散させて発光面に導光する照明方式をいう。
【課題を解決するための手段】
【００１０】
本発明は、中空のユニットケースの底面側に反射面部材を配置し、前記ユニットケースの前記反射面部材と対向する表側に発光面部材を配置し、前記ユニットケースにおける前記反射面部材と発光面部材とで挟まれる空間を中空導光領域とし、配線基板に多数個のＬＥＤを列設実装したＬＥＤ光源ユニットを前記中空導光領域に両側若しくは片側に隣接して、当該中空導光領域に出射するように配置し、かつ、前記ＬＥＤ光源ユニットと前記中空導光領域の端面との間に前記ＬＥＤ光源ユニットから出た光の当該装置の厚さ方向の指向角を狭角化する集光レンズを配置した中空式面照明装置において、前記反射面部材の前記中空導光領域に面する表面の粗さＲａを、Ｒａ＞１μｍとしたことを特徴とする。
【発明の効果】
【００１１】
本発明の中空式面照明装置によれば、反射面部材の中空導光領域に面する表面の粗さＲａを、Ｒａ＞１μｍとしたことで、一般的な鏡面よりも粗い表面にして反射性を損なわずに鏡面よりも大きな拡散特性をこの反射面部材に持たせることができ、ＬＥＤ光源ユニットから集光レンズを経て出てきた光を反射面部材表面に均一に拡散させながら発光面に向けて反射させることができ、発光面上で輝線が発生せず、輝度ムラ、色度ムラのない発光が実現できる。
【発明を実施するための最良の形態】
【００１２】
以下、本発明の実施の形態を図に基づいて詳説する。
【００１３】
（第１の実施の形態）図１、図２は本発明の第１の実施の形態の中空式面照明装置としての液晶表示装置用のバックライトユニット３０を示している。このバックライトユニット３０は、矩形のユニットケース１の底面中央で１つの辺に平行な線に沿い、山形に盛上り、その稜線の両側に遠ざかるほど漸次低くなる山形状の反射面部材２が配置してある。このユニットケース１の表開口面に発光面部材３が配置してある。そして、ユニットケース１に発光面部材３側からフロントフレーム４を被せ、ユニットケート１と一体化することで本実施の形態のバックライトユニット３０が組み上げられている。このユニットケース１は、アルミニウム合金等の高熱伝導性の金属で形成されている。
【００１４】
ユニットケース１内の、反射面部材２と発光面部材３とで挟む空間部分は、中空導光領域１０となっている。ユニットケース１における反射面部材２の稜線に平行な両側面それぞれにおいて、中空導光領域１０の相対する両端それぞれに集光レンズとしてのＬＥＤコリメータレンズ９とＬＥＤ光源ユニット５とが配置してある。
【００１５】
反射面部材２は、矩形のユニットケース１の底面中央で１つの辺に平行な線に沿って山形に盛上り、その稜線の両側に遠ざかるほど漸次低くなる山形状の基材２１の少なくとも中空導光領域１０に接する表面側に高反射性、かつ拡散反射性を有する材料、例えば白色ＰＥＴフィルムや白色インクの拡散反射シート２２を積層した構成である。この拡散反射シート２２には、他に、鏡面反射性を持つ高反射アルミニウム等に光透過性拡散材をコーティングしたシート材を用いることもできる。そして反射面部材２の拡散反射シート２２の表面の粗さＲａは、Ｒａ＞１μｍ、好ましくは３〜１０μｍ、より好ましくは５〜６μｍに設定してある。通常、鏡面仕上げの場合の表面の粗さＲａは、Ｒａ≦０．０１μｍであるので、これに比して１００倍以上の粗い粗面になっている。ただし、粗さＲａは、表面の凹凸の偏差の絶対値を基準長さＬに渡って合計し、平均した値であり、
Ｒａ＝１／Ｌ・∫≒｜Ｆ（ｘ）｜ｄｘ
で表わされる。
【００１６】
発光面部材３は、少なくとも光透過拡散板３Ａに対して、さらに拡散シート３Ｂ，３Ｃ、レンズシート３Ｄ等の光学シートを重ねて構成したものであり、中空導光領域１０を通り、山形の反射面部材２に当たって反射して来た光を均一に拡散、出射させることで、発光面での輝度ムラを解消し、均斉度を高くする働きをする。
【００１７】
ＬＥＤ光源ユニット５は、ユニットケース１の該当側面に収容できる幅を持つ細長い配線基板６上に多数個のＬＥＤ７を一列若しくは複数列に列設実装したものである。配線基板６は高熱伝導性のアルミ系、同系合金などの金属や、窒化アルミニウム等のセラミックにより形成してあり、高熱伝導性のユニットケース１の側壁にねじ止め、接着その他の手段で固定している。尚、この配線基板６とユニットケース１の側壁との間には高熱伝導性の両面テープ、シートあるいはグリースを介在させるのが好ましい。
【００１８】
ＬＥＤ光源ユニット５の出射側と中空導光領域１０との間に、ＬＥＤ７の列を覆い、ＬＥＤ７より拡散放射された放射光を入光する凹溝８で構成される入射面が形成された細長いＬＥＤコリメータレンズ９が集光レンズとして配置してある。このＬＥＤコリメータレンズ９は、ＬＥＤ光源ユニット５に実装された多数のＬＥＤ７それぞれから拡散放射された光を入光するための凹溝８と、その凹溝８の上下両端に連接し湾曲した全反射面と、複数の湾曲面を繋ぎ合わせた放射面によって形成され、この放射面に高さに準じて略平行光に集光した光を中空導光領域１０に入光させるための光学部材であり、例えば、アクリルやポリカーボネートのような透明樹脂、あるいはガラスで形成されている。
【００１９】
図３、図４に詳しく示してあるように、ＬＥＤコリメータレンズ９のＬＥＤ７の列に面する入射部側に凹溝８が形成されている。この凹溝８の溝壁面は、ＬＥＤ７の光軸に近い角度の放射光を体内に導光する凸形状の入射面ＩｎＡと、ＬＥＤ７の光軸から離れた角度の放射光を体内に導光する平面形状の入射面ＩｎＢ１，ＩｎＢ２となっている。ＬＥＤコリメータレンズ９の図において下側と上側に位置する側面は、体内の光を全反射するように湾曲した全反射面ＴＩＲ１，ＴＩＲ２となっている。ＬＥＤコリメータレンズ９の出射部は、入射面ＩｎＡからの入射光に対応する凸形状の出射面ＥｘＡと、入射面ＩｎＢ１，ＩｎＢ２から入射した後、全反射面ＴＩＲ１，ＴＩＲ２で全反射した光に対応する凹曲面形状の出射面ＥｘＢ１，ＥｘＢ２となっている。
【００２０】
図４に詳しく示したように、ＬＥＤコリメータレンズ９によって、ＬＥＤ光源ユニット５のＬＥＤ７からの光を中空導光領域１０の厚み方向に集光してこの中空導光領域１０に入射させる。つまり、ＬＥＤコリメータレンズ９において、ＬＥＤ７から入射面ＩｎＡに入射した光ＲＹＡは、断面凸形状の入射面ＩｎＡ及び出射面ＥｘＡにて屈折し、中空導光領域１０の厚み方向に集光される。また入射面ＩｎＢ１，ＩｎＢ２に入射した光ＲＹＢ１，ＲＹＢ２は、全反射面ＴＩＲ１，ＴＩＲ２での全反射と出射面ＥｘＢ１，ＥｘＢ２での屈折により、中空導光領域１０の厚み方向に集光される。
【００２１】
ＬＥＤコリメータレンズ９から中空導光領域１０に出射した光ＲＹＡ，ＲＹＢ１，ＲＹＢ２は、形状を最適化した反射面部材２の反射面で発光面部材３の方向へ反射され、この発光面部材３の発光面から高輝度で、かつ輝度ムラのない状態で出射される。
【００２２】
本実施の形態のバックライトユニット３０によれば、上記ＬＥＤコリメータレンズ９の存在によって光源であるＬＥＤ７から広角度に放射される光を光利用効率８０％以上という高効率かつ狭角度で集光させることができ、中空導光領域１０における反射損失を最低限に抑え、発光面の輝度を向上させることができる。
【００２３】
また、本実施の形態のバックライトユニット３０では、反射面部材２の中空導光領域１０に面する表面側に拡散反射特性に優れた拡散反射シート２２を設置し、かつ、反射面部材２はＬＥＤ光源ユニット５から遠ざかるほどに反射面を高くすることで、発光面に極力局所的な輝線などが発生しないようにしている。
【００２４】
さらに、本実施の形態のバックライトユニット３０の場合、反射面部材２の表面の粗さＲａを、Ｒａ＞１μｍに設定しているので、次のような作用、効果がある。図２においてＬＥＤ光源ユニット５からコリメータレンズ９を経て中空導光領域１０の厚さ方向の放射角度が狭角化され、いわば光軸方向が揃えられた光Ｌ１は、中空導光領域１０内を発光面に平行に進み、前方に行くほどに迫り上がっている反射面部材２の領域Ａに照射される。この照射領域Ａの表面がＲａ＞１μｍの粗さの粗面であれば、この領域Ａにおいて矢印Ｌ２に示したように入射光が四方八方に分散するように散乱反射される。このため、従来の鏡面であれば、鎖線矢印Ｌ３に示したように入射光の大部分が正反射されて発光面の領域Ｂに到達し、ここに輝線が現れていたものが、その輝線が出現しなくなる。これにより、本実施の形態のバックライトユニット３０では、発光面に輝線が発生せず、均斉化した輝度で発光することができる。実験では、Ｒａ＝５〜６μｍの表面状態の反射面部材２を用いて発光面の輝度分布を観察したが、輝線が解消し、均斉度の高い輝度分布が得られることが確認できている。
【００２５】
尚、本実施の形態において、反射面部材２の表面の拡散反射シート２２の表面状態を、その全面に渡り粗さＲａ＞１μｍとしたが、これに限らず、図２に示したコリメータレンズ９からの集光された光が強く当たる領域Ａに相当する部分だけをＲａ＞１μｍの粗面とし、その他の部分はＲａ≦１μｍの平滑面、さらには鏡面となった表面状態のものを採用することもできる。
【００２６】
また、反射面部材２の形状については、図５（ａ）〜（ｃ）に示したように、本実施の形態と同様の同図（ａ）に示したように稜線からＬＥＤ光源ユニット５に近づくに従って連続的に低まる直線的な山形状の反射面部材２、同図（ｂ）の曲線的な山形状の反射面部材２Ａ、あるいは同図（ｃ）に示したように稜線の両側はスロープ２Ｂ１とし、ＬＥＤ光源ユニット５に近い側は平坦面２Ｂ２とした山形状の反射面部材２Ｂを採用することができる。
【００２７】
また、集光レンズには、全反射コリメータレンズ９に代えて、通常の柱状レンズを採用することもできる。さらに、反射面部材２は一体成型物にして表面を反射拡散面に加工したものを採用することもできる。
【００２８】
（第２の実施の形態）本発明の第２の実施の形態のバックライトユニット３０Ａについて、図６（ａ）、図６（ｂ）を用いて説明する。本実施の形態のバックライトユニット３０の構造は、第１の実施の形態と同様で、図１、図２に示したものである。したがって共通の要素には同一の符号を付して示してある。
【００２９】
本実施の形態のバックライトユニット３０Ａの特徴は反射面部材２Ｃにあり、反射面部材２Ｃの表面の粗面の粗さＲａを、図６（ｂ）のグラフに示したように、ＬＥＤ光源ユニット５の隣接する端縁から光軸方向に遠ざかるに従って連続増加関数的に漸増する設定にした点にある。すなわち、端縁ｘ＝０ではＲａ＞１μｍかつ１μｍに最も近い値とし、反射面部材２Ｃの中央稜線位置ｘ＝ｘｍａｘにてＲａが最大となり、その間では距離ｘが増加するに従って一次関数、二次関数、あるいはｅｘｐ関数等の連続増加関数Ｒａ＝ｆ（ｘ）により規定される関係で漸増する設定である。
【００３０】
本実施の形態によれば、次のような作用、効果がある。一般的に輝線の発生は、図２にて示したように発光面の中央部近傍の領域Ｂで起きる性質がある。このため、反射面部材２Ｃの表面の粗さＲａは光源から遠い側ほど大きい必要がある。反面、表面の粗さＲａが大きいと反射率が低下してしまい、発光面が暗くなってしまう。そのため、正反射光により発光面に輝線を発生させない領域では表面を平滑にし、輝線を発生させる領域ほど漸次表面粗さＲａを大きくすることで反射光率をある程度大きく維持しつつも輝線の発生を抑制することができる。
【００３１】
本実施の形態では、このように反射面部材２Ｃの表面の粗さＲａを、図６（ｂ）のグラフに示したようにＬＥＤ光源ユニット５の隣接する端縁から光軸方向に遠ざかるに従って連続増加関数的に漸増する設定にしたことで、発光面の明るさを維持しつつ、輝線の発生を効果的に抑制することができ、輝度ムラ、色度ムラを解消できる。
【００３２】
尚、本実施の形態にあっても、反射面部材２Ｃとしては、図５（ａ）〜（ｃ）のいずれの形状のものをも採用することができる。また、粗さＲａとしても、第１の実施の形態と同様にすることができる。
【００３３】
また、集光レンズには、全反射コリメータレンズ９に代えて、通常の柱状レンズを採用することもできる。また、反射面部材２は一体成型物にして表面を反射拡散面に加工したものを採用することもできる。
【００３４】
さらに、本実施の形態にあっては、図６（ｂ）に示すように反射面部材２Ｃの表面粗さＲａは連続関数的に増加するものとしたが、これに代えて、図７のグラフに示すように表面粗さＲａが距離ｘにより階段関数的に増加する反射面部材を採用することもできる。
【００３５】
（第３の実施の形態）本発明の第３の実施の形態のバックライトユニット３０Ｂについて、図８を用いて説明する。本実施の形態のバックライトユニット３０Ｂは、ユニットケース１Ａの底部に片斜面になった反射面部材２Ｄを設置し、ユニットケース１Ａの片サイドに設置したＬＥＤ光源ユニット５のＬＥＤから中空導光領域１０に光を入射させ、反射面部材２Ｄにて発光面部材３側に反射させる片側入射タイプの構造である。
【００３６】
本実施の形態においても、反射面部材２Ｄとして第１の実施の形態において採用した表面状態のもの、つまり、表面粗さＲａがＲａ＞１μｍに設定されたものを採用している。尚、本実施の形態にあって、その他の構成は第１、第２の実施の形態と共通であり、共通する要素には同一の符号を付して示してある。
【００３７】
本実施の形態のバックライトユニット３０Ｂにあっても、反射面部材２Ｄの表面粗さＲａをＲａ＞１μｍに設定したことにより、発光面に輝線が発生せず、均斉化した輝度で発光することができる。
【００３８】
尚、本実施の形態においも、反射面部材２Ｄの表面の拡散反射シート２２の表面状態を全面に渡り粗さＲａ＞１μｍとしたが、これに限らず、コリメータレンズ９からの集光された光が強く当たる領域Ａに相当する部分だけをＲａ＞１μｍの粗面とし、その部分はＲａ≦１μｍの平滑面、さらには鏡面となった表面状態のものを採用することもできる。
【００３９】
また、反射面部材２Ｄの形状については、本実施の形態においては片斜面タイプとしたが、図９（ａ），（ｂ）に示したように、同図（ａ）に示したようにＬＥＤ光源ユニット５から遠い端部からＬＥＤ光源ユニット５に近づくに従って連続的に低まる曲線的な片スロープタイプの反射面部材２Ｅを採用することができる。また、同図（ｂ）に示したようにＬＥＤ光源ユニット５から遠い端部側はスロープ２Ｆ１とし、ＬＥＤ光源ユニット５に近い側は平坦面２Ｆ２とした反射面部材２Ｆを採用することもできる。
【００４０】
また、本実施の形態のバックライトユニット３０Ｂにあっても、反射面部材２Ｄを粗面加工された一体成形物を採用することができる。また、反射面部材２Ｄの表面粗さＲａをＬＥＤ光源ユニット５からの光が強く当たる領域Ａに相当する部分だけＲａ＞１μｍに設定し、他の部分はＲａ≦１μｍの平滑面、あるいは鏡面に設定することができる。また、第２の実施の形態のように、反射面部材２Ｄについて、中空導光領域１０の光源側端部からの距離ｘに応じて連続関数的に、若しくは階段関数的にＲａが漸増するように設定したものを採用することもできる。
【００４１】
また、上記の各実施の形態は液晶ディスプレイ用のバックライトユニットについて説明したが、上記実施の形態の構成の中空式面照明装置は、他の用途、例えば天井照明、床照明、壁面照明、フィルムの背面照明等にも応用することができる。
【図面の簡単な説明】
【００４２】
【図１】本発明の第１の実施の形態のバックライトユニットの分解斜視図。
【図２】上記実施の形態のバックライトユニットの断面図。
【図３】上記実施の形態のバックライトユニットにおけるＬＥＤコリメータレンズの一部破断斜視図。
【図４】上記実施の形態におけるＬＥＤコリメータレンズの集光特性を示す断面図。
【図５】上記実施の形態のバックライトユニットにおける反射面部材の構造の変形例を示す断面図。
【図６】本発明の第２の実施の形態のバックライトユニットの断面図、及び当該バックライトユニットに採用した反射面部材の端縁からの距離と表面粗さとの関係を示すグラフ。
【図７】上記実施の形態のバックライトユニットにおける別例の反射面部材の端縁からの距離と表面粗さとの関係を示すグラフ。
【図８】本発明の第３の実施の形態のバックライトユニットの断面図。
【図９】上記実施の形態のバックライトユニットにおける反射面部材の構造の変形例を示す断面図。
【符号の説明】
【００４３】
１  ユニットケース
２  反射面部材
３  発光面部材
４  フロントフレーム
５  ＬＥＤ光源ユニット
９  ＬＥＤコリメータレンズ
１０  中空導光領域
２１  基材
２２  拡散反射シート
３０  バックライトユニット
Ｒａ  表面粗さ
【図１】
2009099271.tif 000003
【図２】
2009099271.tif 000004
【図３】
2009099271.tif 000005
【図４】
2009099271.tif 000006
【図５】
2009099271.tif 000007
【図６】
2009099271.tif 000008
【図７】
2009099271.tif 000009
【図８】
2009099271.tif 000010
【図９】
2009099271.tif 000011